(57)【要約】【課題】印刷データの傍受や流出を確実に防止することができる構造のデータ処理システムを提供する。【解決手段】特定の個体のデータ印刷装置３００のみアクセス自在な状態でデータ処理装置２００が印刷データをデータ記憶媒体１００に格納する。印刷データをデータ処理装置２００からデータ印刷装置３００まで通信ネットワーク４００で伝送しないので、通信ネットワーク４００で伝送される印刷データが傍受されることがない。データ処理装置２００によりデータ記憶媒体１００に格納された印刷データに特定の個体のデータ印刷装置３００しかアクセスできないので、データ記憶媒体１００が第三者に取得されても印刷データが流出することがない。【選択図】図１
2007323469.tif 000002
【特許請求の範囲】
【請求項１】
電子データを記憶するデータ記憶媒体と、前記電子データを前記データ記憶媒体に出力する上位処理装置と、前記データ記憶媒体から前記電子データを取得する下位処理装置と、を有するデータ処理システムであって、
特定の個体の前記下位処理装置のみアクセス自在な状態で前記上位処理装置が前記電子データを前記データ記憶媒体に格納するデータ処理システム。
【請求項２】
前記上位処理装置は、前記下位処理装置の個体ＩＤ(Identity)をアクセスキーとしたアクセス制限状態で前記電子データを前記データ記憶媒体に格納するデータ格納部を有し、
前記下位処理装置は、自身の前記個体ＩＤを記憶しているＩＤ記憶部と、記憶されている前記個体ＩＤを前記アクセスキーとして前記データ記憶媒体から前記電子データを取得するデータ取得部と、を有する請求項１に記載のデータ処理システム。
【請求項３】
前記上位処理装置は、作業者によるパスワードの入力を受け付けるパス入力部と、入力された前記パスワードをアクセスキーとしたアクセス制限状態で前記電子データを前記下位処理装置の個体ＩＤとともに前記データ記憶媒体に格納するデータ格納部と、を有し、
前記下位処理装置は、自身の前記個体ＩＤを記憶しているＩＤ記憶部と、前記パスワードの入力を受け付けるパス確認部と、前記個体ＩＤが付与されている前記電子データを入力された前記パスワードを前記アクセスキーとして前記データ記憶媒体から取得するデータ取得部と、を有する請求項１に記載のデータ処理システム。
【請求項４】
前記上位処理装置は、作業者によるパスワードの入力を受け付けるパス入力部と、入力された前記パスワードをアクセスキーとしたアクセス制限状態で前記電子データを前記下位処理装置の個体ＩＤとともに前記データ記憶媒体に格納するデータ格納部と、前記パスワードを前記下位処理装置に送信するパス送信部と、を有し、
前記下位処理装置は、自身の前記個体ＩＤを記憶しているＩＤ記憶部と、前記上位処理装置から前記パスワードを受信するパス受信部と、前記個体ＩＤが付与されている前記電子データを受信された前記パスワードを前記アクセスキーとして前記データ記憶媒体から取得するデータ取得部と、を有する請求項１に記載のデータ処理システム。
【請求項５】
前記上位処理装置は、作業者によるパスワードの入力を受け付けるパス入力部と、入力された前記パスワードと前記下位処理装置の個体ＩＤとをアクセスキーとしたアクセス制限状態で前記電子データを前記データ記憶媒体に格納するデータ格納部と、を有し、
前記下位処理装置は、自身の前記個体ＩＤを記憶しているＩＤ記憶部と、前記パスワードの入力を受け付けるパス確認部と、記憶されている前記個体ＩＤと入力された前記パスワードとを前記アクセスキーとして前記データ記憶媒体から前記電子データを取得するデータ取得部と、を有する請求項１に記載のデータ処理システム。
【請求項６】
前記上位処理装置は、作業者によるパスワードの入力を受け付けるパス入力部と、入力された前記パスワードと前記下位処理装置の個体ＩＤとをアクセスキーとしたアクセス制限状態で前記電子データを前記データ記憶媒体に格納するデータ格納部と、前記パスワードを前記下位処理装置に送信するパス送信部と、を有し、
前記下位処理装置は、自身の前記個体ＩＤを記憶しているＩＤ記憶部と、前記上位処理装置から前記パスワードを受信するパス受信部と、記憶されている前記個体ＩＤと受信された前記パスワードとを前記アクセスキーとして前記データ記憶媒体から前記電子データを取得するデータ取得部と、を有する請求項１に記載のデータ処理システム。
【請求項７】
前記上位処理装置は、前記電子データを前記データ記憶媒体に格納させる作業者を認証する上位認証部を、さらに有し、
前記データ格納部は、前記作業者が認証されないと前記電子データを前記データ記憶媒体に格納せず、
前記下位処理装置は、前記作業者を認証する下位認証部を、さらに有し、
前記データ取得部は、前記作業者が認証されないと前記データ記憶媒体から前記電子データを取得しない請求項２ないし６の何れか一項に記載のデータ処理システム。
【請求項８】
前記上位処理装置は、前記電子データを前記データ記憶媒体に格納させる作業者を認証する上位認証部と、前記上位認証部の認証結果をアクセスキーとしたアクセス制限状態で前記電子データを前記下位処理装置の個体ＩＤとともに前記データ記憶媒体に格納するデータ格納部と、を有し、
前記下位処理装置は、自身の前記個体ＩＤを記憶しているＩＤ記憶部と、前記作業者を認証する下位認証部と、前記個体ＩＤが付与されている前記電子データを前記下位認証部の認証結果を前記アクセスキーとして前記データ記憶媒体から取得するデータ取得部と、を有する請求項１に記載のデータ処理システム。
【請求項９】
前記上位処理装置は、前記電子データを前記データ記憶媒体に格納させる作業者を認証する上位認証部と、前記上位認証部の認証結果をアクセスキーとしたアクセス制限状態で前記電子データを前記下位処理装置の個体ＩＤとともに前記データ記憶媒体に格納するデータ格納部と、前記認証結果を前記下位処理装置に送信する認証送信部と、を有し、
前記下位処理装置は、自身の前記個体ＩＤを記憶しているＩＤ記憶部と、前記上位処理装置から前記認証結果を受信する認証受信部と、前記個体ＩＤが付与されている前記電子データを受信された前記認証結果を前記アクセスキーとして前記データ記憶媒体から取得するデータ取得部と、を有する請求項１に記載のデータ処理システム。
【請求項１０】
前記上位処理装置は、前記電子データを前記データ記憶媒体に格納させる作業者を認証する上位認証部と、前記作業者の認証結果と前記下位処理装置の個体ＩＤとをアクセスキーとしたアクセス制限状態で前記電子データを前記データ記憶媒体に格納するデータ格納部と、を有し、
前記下位処理装置は、自身の前記個体ＩＤを記憶しているＩＤ記憶部と、前記作業者を認証する下位認証部と、記憶されている前記個体ＩＤと前記作業者の認証結果とを前記アクセスキーとして前記データ記憶媒体から前記電子データを取得するデータ取得部と、を有する請求項１に記載のデータ処理システム。
【請求項１１】
前記上位処理装置は、前記電子データを前記データ記憶媒体に格納させる作業者を認証する上位認証部と、前記作業者の認証結果と前記下位処理装置の個体ＩＤとをアクセスキーとしたアクセス制限状態で前記電子データを前記データ記憶媒体に格納するデータ格納部と、前記認証結果を前記下位処理装置に送信する認証送信部と、を有し、
前記下位処理装置は、自身の前記個体ＩＤを記憶しているＩＤ記憶部と、前記上位処理装置から前記認証結果を受信する認証受信部と、記憶されている前記個体ＩＤと受信された前記認証結果とを前記アクセスキーとして前記データ記憶媒体から前記電子データを取得するデータ取得部と、を有する請求項１に記載のデータ処理システム。
【請求項１２】
前記上位処理装置は、前記下位処理装置から前記個体ＩＤを取得するＩＤ取得部を、さらに有する請求項２ないし１１の何れか一項に記載のデータ処理システム。
【請求項１３】
前記上位処理装置は、前記個体ＩＤの返信要求を前記下位処理装置に送信する要求送信部を有し、
前記下位処理装置は、前記上位処理装置から前記返信要求を受信すると前記個体ＩＤを返信するＩＤ返信部を有し、
前記ＩＤ取得部は、前記下位処理装置から前記個体ＩＤを受信する請求項１２に記載のデータ処理システム。
【請求項１４】
前記データ格納部は、前記データ記憶媒体に格納される前記電子データを前記アクセスキーで暗号化し、
前記データ取得部は、前記電子データを前記アクセスキーで復号する請求項２ないし１３の何れか一項に記載のデータ処理システム。
【請求項１５】
前記下位処理装置が、取得された前記電子データを印刷出力するデータ印刷部を、さらに有する請求項１ないし１４の何れか一項に記載のデータ処理システム。
【請求項１６】
請求項１に記載のデータ処理システムの上位処理装置であって、
特定の個体の前記下位処理装置のみアクセス自在な状態で前記電子データを前記データ記憶媒体に格納する上位処理装置。
【発明の詳細な説明】
【技術分野】
【０００１】
本発明は、データ記憶媒体と上位処理装置と下位処理装置とを有するデータ処理システムに関し、特に、上位処理装置が出力する電子データがデータ記憶媒体で記憶されて下位処理装置に取得されるデータ処理システムに関する。
【背景技術】
【０００２】
従来、パーソナルコンピュータなどの上位処理装置と、プリンタ装置などの下位処理装置とが、通信ネットワークで接続されている構造のデータ処理システムがある。このようなデータ処理システムでは、電子データが上位処理装置から通信ネットワークでプリンタ装置に転送されて印刷出力される。
【０００３】
しかし、これでは作業者が上位処理装置を操作しているときに、プリンタ装置の印刷出力が実行されることになる。このため、上位処理装置を操作する作業者ではない第三者が印刷結果を入手したり確認する可能性がある。
【０００４】
これを解決するため、親展印刷なる機能を実現したデータ処理システムがある。このような第一の従来例のデータ処理システムでは、例えば、作業者が操作する上位処理装置からプリンタ装置に電子データとともにＩＤデータなどが転送される。
【０００５】
このプリンタ装置は、作業者によりＩＤデータなどが入力操作されないと電子データを印刷出力しない。このため、上位処理装置を操作した作業者ではない第三者が印刷結果を入手したり確認することを防止できる(例えば、特許文献１参照)。
【０００６】
また、第二の従来例のデータ処理システムでは、上述のような親展印刷の大容量の電子データをプリンタ装置が保持できない場合、上位処理装置が電子データを保持したままＩＤデータなどをプリンタ装置に転送する。
【０００７】
このプリンタ装置は、作業者によりＩＤデータなどが入力操作されると、そのＩＤデータで通信ネットワークにより上位処理装置から電子データを取得して印刷出力する(例えば、特許文献２参照)。
【０００８】
また、第三の従来例のデータ処理システムでは、例えば、作業者が操作する上位処理装置で電子データが保持され、その電子データに対応したＩＤデータなどが上位処理装置からデータ記憶媒体に格納される。
【０００９】
このデータ記憶媒体を作業者がプリンタ装置に装填すると、このプリンタ装置はデータ記憶媒体から入手したＩＤデータで通信ネットワークにより上位処理装置から電子データを取得して印刷出力する(例えば、特許文献３参照)。
【特許文献１】特開平１１−２４９８４８号
【特許文献２】特開平０５−１４３２５３号
【特許文献３】特開平２００５−３２４４９７号
【発明の開示】
【発明が解決しようとする課題】
【００１０】
しかし、特許文献１〜３のデータ処理システムでは、何れも電子データを上位処理装置からプリンタ装置まで通信ネットワークで伝送している。このため、通信ネットワークで伝送される電子データが傍受される可能性がある。
【００１１】
例えば、現在のプリンタ装置には、デジタルカメラによりデータ記憶媒体に格納されたデジタル写真の画像データを、データ記憶媒体から取得して印刷出力する製品がある。
【００１２】
この場合、通信ネットワークによるデータ伝送が介在しないので、通信ネットワークにより電子データが傍受されることはない。しかし、データ記憶媒体が第三者に取得されると、その電子データが流出することになる。
【００１３】
また、上述のようなプリンタ装置は、画像データを印刷データに変換するプリンタドライバの所定機能などが実装されている必要がある。このため、プリンタ装置の構造が複雑となっている。
【００１４】
なお、上述のようにプリンタ装置に実装する必要がある機能は、例えば、印刷データがＪＰＥＧ(Joint Photographic Coding Experts Group)形式で圧縮されたＲＧＢ(Red, Green, Blue)のカラー画像からなる場合、その伸張処理とＣＭＹｋ(Cyan Magenta Yellow black)色空間への変換、二値化、等からなる。
【００１５】
本発明は上述のような課題に鑑みてなされたものであり、電子データの傍受や流出を確実に防止することができるデータ処理システムを提供するものである。
【課題を解決するための手段】
【００１６】
本発明のデータ処理システムは、電子データを記憶するデータ記憶媒体と、電子データをデータ記憶媒体に出力する上位処理装置と、データ記憶媒体から電子データを取得する下位処理装置と、を有するデータ処理システムであって、特定の個体の下位処理装置のみアクセス自在な状態で上位処理装置が電子データをデータ記憶媒体に格納する。
【００１７】
従って、本発明のデータ処理システムでは、電子データを上位処理装置から下位処理装置まで通信ネットワークで伝送しないので、通信ネットワークで伝送される電子データが傍受されることがなく、上位処理装置によりデータ記憶媒体に格納された電子データに特定の個体の下位処理装置しかアクセスできないので、データ記憶媒体が第三者に取得されても電子データが流出することがない。
【００１８】
なお、本発明で云う各種の構成要素は、その機能を実現するように形成されていればよく、例えば、所定の機能を発揮する専用のハードウェア、所定の機能がコンピュータプログラムにより付与されたコンピュータ装置、コンピュータプログラムによりコンピュータ装置に実現された所定の機能、これらの任意の組み合わせ、等として実現することができる。
【００１９】
また、本発明で云う各種の構成要素は、個々に独立した存在である必要もなく、複数の構成要素が一個の部材として形成されていること、１つの構成要素が複数の部材で形成されていること、ある構成要素が他の構成要素の一部であること、ある構成要素の一部と他の構成要素の一部とが重複していること、等でよい。
【００２０】
さらに、本発明で云う「データを記憶している」とは、本発明の装置が使用されるときに「データを記憶している」状態にあることを意味している。このため、本発明の装置が出荷されるときにはデータを記憶しておらず、使用される以前にデータを記憶している状態にセットアップされてもよい。
【００２１】
また、本発明で云う「アクセス制限状態」とは、少なくとも、アクセスキーを必要としない自由なアクセスを不能とし、アクセスキーによるアクセスは許容する状態を意味している。
【００２２】
ただし、この「アクセス制限状態」としては、電子データの存在が見えない、存在は見えるが開けない、開けるが編集や印刷はできない、開いて印刷できるが編集できない、開いて編集できるが印刷も上書きもできない、開いて編集も印刷もできるが上書きはできない、等の各種状態を許容する。
【発明の効果】
【００２３】
本発明のデータ処理システムでは、電子データを上位処理装置から下位処理装置まで通信ネットワークで伝送しないので、通信ネットワークで伝送される電子データが傍受されることを確実に防止でき、上位処理装置によりデータ記憶媒体に格納された電子データに特定の個体の下位処理装置しかアクセスできないので、データ記憶媒体が第三者に取得されても電子データが流出することを良好に防止できる。
【発明を実施するための最良の形態】
【００２４】
本発明の実施の一形態を図面を参照して以下に説明する。本実施の形態のデータ処理システムであるデータ印刷システム１０は、電子データである印刷データを記憶するデータ記憶媒体１００と、印刷データをデータ記憶媒体１００に出力する上位処理装置であるデータ処理装置２００と、データ記憶媒体１００から印刷データを取得する下位処理装置であるデータ印刷装置３００と、を有する。
【００２５】
ただし、本実施の形態のデータ印刷システム１０では、特定の個体のデータ印刷装置３００のみアクセス自在な状態で、データ処理装置２００が印刷データをデータ記憶媒体１００に格納する。
【００２６】
より詳細には、データ処理装置２００とデータ印刷装置３００とは通信ネットワーク４００で接続されている。データ処理装置２００は、いわゆるパーソナルコンピュータからなる。また、本実施の形態のデータ印刷装置３００は、いわゆるレーザプリンタなどのページプリンタからなる。
【００２７】
本実施の形態のデータ記憶媒体１００は、いわゆるＵＳＢ(Universal Serial Bus)メモリ、カード形状のフラッシュメモリやＨＤＤ(Hard Disc Drive)、フレキシブルディスクカートリッジ、等からなる。
【００２８】
このため、本実施の形態のデータ処理装置２００は、各種データが入力操作されるキーボード、各種データを表示出力するディスプレイユニット、データ記憶媒体１００が着脱自在に装填される媒体スロットユニット、通信ネットワーク４００によりデータ印刷装置３００と相互通信する通信Ｉ／Ｆ、これらの統合制御などの各種のデータ処理を実装されているコンピュータプログラムに対応して実行するコンピュータユニット、等のハードウェアを有する(図示せず)。
【００２９】
このため、本実施の形態のデータ印刷装置３００は、各種データの入力操作と表示出力とを実行するタッチパネル、通信ネットワーク４００によりデータ処理装置２００と相互通信する通信Ｉ／Ｆ、データ記憶媒体１００が着脱自在に装填される媒体スロットユニット、印刷データを一時保持する内蔵メモリ、印刷データを印刷用紙に印刷出力するデータ印刷部３０１、これらの統合制御などの各種のデータ処理を実装されているコンピュータプログラムに対応して実行するコンピュータユニット、等のハードウェアを有する(図示せず)。
【００３０】
本実施の形態のデータ処理装置２００およびデータ印刷装置３００は、上述のようにコンピュータユニットが実装されているコンピュータプログラムに対応して各種のハードウェアの統合制御などのデータ処理を実行することにより、以下のような各部が各種機能として論理的に構築されている。
【００３１】
すなわち、本実施の形態のデータ処理装置２００は、データ印刷装置３００の個体ＩＤの返信要求をデータ印刷装置３００に通信ネットワーク４００で送信する要求送信部２０１、データ印刷装置３００から個体ＩＤを通信ネットワーク４００で受信するＩＤ取得部２０２、受信した個体ＩＤをアクセスキーとしたロック状態であるアクセス制限状態で印刷データをデータ記憶媒体１００に格納するデータ格納部２０３、を有する。
【００３２】
また、本実施の形態のデータ印刷装置３００は、自身の個体ＩＤを記憶しているＩＤ記憶部３０３、データ処理装置２００から通信ネットワーク４００で返信要求を受信すると個体ＩＤを返信するＩＤ返信部３０２、記憶されている個体ＩＤをアクセスキーとしてデータ記憶媒体１００から印刷データを取得するデータ取得部３０４、を有する。
【００３３】
上述のようなデータ処理装置２００の各部を論理的に構築するコンピュータプログラムは、例えば、個体ＩＤの返信要求をデータ印刷装置３００に通信ネットワーク４００で送信すること、データ印刷装置３００から個体ＩＤを通信ネットワーク４００で受信すること、個体ＩＤをアクセスキーとしたアクセス制限状態で印刷データをデータ記憶媒体１００に格納すること、等の処理動作を実行するためのソフトウェアとして記述されている。
【００３４】
また、データ印刷装置３００の各部を論理的に構築するコンピュータプログラムは、例えば、自身の個体ＩＤを記憶しておくこと、データ処理装置２００から通信ネットワーク４００で返信要求を受信すると個体ＩＤを返信すること、記憶されている個体ＩＤをアクセスキーとしてデータ記憶媒体１００から印刷データを取得すること、取得された印刷データを印刷出力すること、等の処理動作を実行するためのソフトウェアとして記述されている。
【００３５】
上述のような構成において、本実施の形態のデータ印刷システム１０の動作を以下に説明する。例えば、セキュリティ要求が低い画像データが通常印刷される場合、作業者は、その画像データの通常印刷の実行をデータ処理装置２００にキーボードなどで入力操作する。
【００３６】
すると、図２に示すように、これを検知したデータ処理装置２００では(ステップＳ１)、作業者に指定された画像データが印刷データに変換される(ステップＳ２)。この印刷データが通信ネットワーク４００によりデータ印刷装置３００に送信される(ステップＳ３)。
【００３７】
そこで、このデータ印刷装置３００では、図３に示すように、印刷データが通信ネットワーク４００により受信されると(ステップＴ１)、その印刷データがデータ印刷部３０１で印刷用紙に印刷出力される(ステップＴ７)。
【００３８】
一方、本実施の形態のデータ印刷システム１０で、例えば、セキュリティ要求が高い画像データが親展印刷される場合、作業者は、データ処理装置２００にデータ記憶媒体１００を装填する。
【００３９】
つぎに、その画像データの親展印刷の実行をデータ処理装置２００にキーボードなどで入力操作する。すると、図２に示すように、これを検知したデータ処理装置２００では(ステップＳ４)、データ記憶媒体１００が適正に装填されているかが確認される(ステップＳ５)。
【００４０】
このとき、データ記憶媒体１００の適正な装填が検知されないと、「データ記憶媒体を認識できません。適正に装填されているか、等を確認してください」などのエラーガイダンスがディスプレイユニットの表示などで作業者に報知される(ステップＳ１２)。
【００４１】
一方、データ記憶媒体１００の適正な装填が確認されると(ステップＳ５)、データ処理装置２００は、通信ネットワーク４００により個体ＩＤの返信要求をデータ印刷装置３００に送信する(ステップＳ６)。すると、これを受信したデータ印刷装置３００は(ステップＴ２)、自身の個体ＩＤを通信ネットワーク４００によりデータ処理装置２００に返信する(ステップＴ３)。
【００４２】
このとき、データ処理装置２００では、上述のように個体ＩＤの返信要求を送信してから所定時間が経過しても個体ＩＤが返信されないと(ステップＳ７)、「プリンタからＩＤが返信されません。プリンタやネットワーク等を確認してください」などのエラーガイダンスが作業者に報知される(ステップＳ１２)。
【００４３】
一方、データ処理装置２００では、所定時間が経過する以前に個体ＩＤが通信ネットワーク４００により受信されると(ステップＳ７)、作業者に指定された画像データが印刷データに変換される(ステップＳ８)。
【００４４】
つぎに、その個体ＩＤをアクセスキーとして印刷データにアクセス権が設定される(ステップＳ９)。このアクセス権が設定された印刷データがデータ記憶媒体１００に格納される(ステップＳ１０)。
【００４５】
上述の格納が完了すると、「印刷データは正常に格納されました。データ記憶媒体をプリンタに装填してください」などのガイダンスメッセージがディスプレイユニットの表示などで作業者に報知される(ステップＳ１１)。
【００４６】
そこで、上述のガイダンスメッセージを確認した作業者は、データ記憶媒体１００をデータ処理装置２００から取り出してデータ印刷装置３００に装填する。すると、このデータ印刷装置３００は、図３に示すように、データ記憶媒体１００の装填を自動的に検知する(ステップＴ４)。
【００４７】
すると、このデータ印刷装置３００では、自身の個体ＩＤをアクセスキーとしてデータ記憶媒体１００から印刷データが読み出される(ステップＴ５)。そこで、印刷データが正常に読み出されると(ステップＴ６)、その印刷データが印刷用紙に印刷出力される(ステップＴ７)。
【００４８】
一方、印刷データが正常に読み出されないと(ステップＴ６)、「データにアクセスできません」などのエラーガイダンスがタッチパネルの表示などで作業者に報知される(ステップＴ８)。
【００４９】
本実施の形態のデータ印刷システム１０では、上述のようにデータ処理装置２００によりデータ記憶媒体１００に格納された印刷データがデータ印刷装置３００により印刷出力される。
【００５０】
このため、データ処理装置２００からデータ印刷装置３００まで印刷データを移動させるために通信ネットワークによる伝送が必要ない。従って、この伝送による印刷データの傍受を確実に防止することができる。
【００５１】
さらに、データ処理装置２００によりデータ記憶媒体１００に格納される印刷データにデータ印刷装置３００の個体ＩＤがアクセスキーとして設定される。このため、その個体ＩＤが設定されているデータ印刷装置３００しかデータ記憶媒体１００に格納される印刷データにアクセスできない。従って、データ記憶媒体１００が第三者に取得されても印刷データが流出することを良好に防止できる。
【００５２】
なお、本発明は上記形態に限定されるものではなく、その要旨を逸脱しない範囲で各種の変形を許容する。例えば、上記形態では下位処理装置がデータ印刷装置３００からなることを例示した。しかし、この下位処理装置は、上位処理装置から電子データを取得する各種機器とすることができる。
【００５３】
また、上記形態ではアクセス権が印刷データに直接に設定されることを例示した。しかし、複数の印刷データが格納される電子フォルダがデータ記憶媒体１００に構築され、その電子フォルダにアクセス権が設定されてもよく、データ記憶媒体１００の全体にアクセス権が設定されてもよい。
【００５４】
さらに、上記形態ではデータ印刷装置３００がデータ記憶媒体１００から印刷データを読み出すことのみにアクセス権が設定されることを例示した。しかし、データ印刷装置３００がデータ記憶媒体１００の印刷データを一覧表示することや消去することにもアクセス権を設定してもよい。
【００５５】
また、上記形態ではデータ処理装置２００が印刷データをデータ記憶媒体１００に格納するときにデータ印刷装置３００の個体ＩＤをリアルタイムに取得することを例示した。
【００５６】
しかし、データ処理装置２００が事前にデータ印刷装置３００の個体ＩＤをオンラインやオフラインで取得しておき、内部に保持していてもよい。この場合、個体ＩＤの取得は一度でよく、二回目からは内部に保持されている個体ＩＤで処理を実行することができる。
【００５７】
さらに、上記形態ではデータ処理装置２００がデータ印刷装置３００の個体ＩＤをアクセスキーとしたアクセス制限状態で印刷データをデータ記憶媒体１００に格納し、データ印刷装置３００が自身の個体ＩＤをアクセスキーとしてデータ記憶媒体１００から印刷データを取得することを例示した。
【００５８】
しかし、データ処理装置２００が、作業者によるパスワードの入力を受け付け、入力されたパスワードをアクセスキーとしたアクセス制限状態で印刷データをデータ印刷装置３００の個体ＩＤとともにデータ記憶媒体１００に格納してもよい。
【００５９】
この場合、データ印刷装置３００は、パスワードの入力を受け付け、個体ＩＤが付与されている印刷データを入力されたパスワードをアクセスキーとしてデータ記憶媒体１００から取得すればよい。
【００６０】
また、データ処理装置２００が、入力されたパスワードとデータ印刷装置３００の個体ＩＤとをアクセスキーとしたアクセス制限状態で印刷データをデータ記憶媒体１００に格納し、データ印刷装置３００が、個体ＩＤとパスワードとをアクセスキーとしてデータ記憶媒体１００から印刷データを取得してもよい。
【００６１】
さらに、上述のようなシステムで、データ処理装置２００が、パスワードをデータ印刷装置３００に送信し、データ印刷装置３００が、受信したパスワードをアクセスキーとして印刷データをデータ記憶媒体１００から取得してもよい。
【００６２】
また、上述のようなシステムで、データ処理装置２００が作業者を認証しないと印刷データをデータ記憶媒体１００に格納せず、データ印刷装置３００が作業者を認証しないとデータ記憶媒体１００から印刷データを取得しないこともできる。
【００６３】
さらに、このような作業者の認証を、データ処理装置２００やデータ印刷装置３００と通信する外部のサーバ装置(図示せず)などで実行してもよい。ただし、このようなシステムでは、外部の装置による認証は最初の一回のみとし、その認証結果(および／または認証に必要な所定情報)を、データ処理装置２００やデータ印刷装置３００が内部に保持してもよい。
【００６４】
さらに、データ処理装置２００が、作業者の認証結果をアクセスキーとして印刷データをデータ記憶媒体１００に格納し、データ印刷装置３００が、作業者の認証結果をアクセスキーとして印刷データをデータ記憶媒体１００から取得してもよい。
【００６５】
また、データ処理装置２００が、作業者の認証結果とデータ印刷装置３００の個体ＩＤとをアクセスキーとして印刷データをデータ記憶媒体１００に格納し、データ印刷装置３００が、作業者の認証結果と個体ＩＤとをアクセスキーとして印刷データをデータ記憶媒体１００から取得してもよい。
【００６６】
さらに、上述のようなシステムで、データ処理装置２００が作業者の認証結果をデータ印刷装置３００に送信し、データ印刷装置３００が受信した認証結果をアクセスキーとして印刷データをデータ記憶媒体１００から取得してもよい。
【００６７】
また、上述のようなシステムで、データ処理装置２００がデータ記憶媒体１００に格納する印刷データをアクセスキーで暗号化し、データ印刷装置３００が印刷データをアクセスキーで復号してもよい。
【００６８】
さらに、上記形態ではデータ処理装置２００が通常の手法で印刷データをデータ記憶媒体１００に格納し、データ印刷装置３００が通常の手法で印刷データをデータ記憶媒体１００から読み出すことを想定した。
【００６９】
しかし、データ処理装置２００が、データ記憶媒体１００を仮想的なデータ印刷装置３００と認識して印刷データを出力し、データ印刷装置３００が、データ記憶媒体１００を仮想的なデータ処理装置２００と認識して印刷データを取得してもよい。
【００７０】
その場合、データ処理装置２００は、データ印刷装置３００に印刷データを出力する場合と同一の処理動作により印刷データをデータ記憶媒体１００に格納することができる。
【００７１】
同様に、データ印刷装置３００は、データ処理装置２００から印刷データを取得する場合と同一の処理動作によりデータ記憶媒体１００から印刷データを取得することができる。しかも、画像データを印刷データに変換するプリンタドライバの所定機能などがデータ印刷装置３００に実装されている必要もない。
【００７２】
また、上記形態ではデータ記憶媒体１００に格納されている印刷データがデータ印刷装置３００で印刷出力されても処理されないことを例示した。しかし、データ印刷装置３００で印刷データが印刷出力されると、これに連動してデータ記憶媒体１００から印刷データが自動的に消去されてもよい。
【００７３】
この場合、そのデータ記憶媒体１００が第三者に取得されても印刷データの流出を確実に防止することができる。しかも、この流出防止のために作業者がデータ印刷装置３００にデータ記憶媒体１００を装填して手動操作を実行するような必要もない。また、作業者の誤操作により印刷出力されていない印刷データが消去されることもない。
【００７４】
さらに、上記形態ではデータ印刷装置３００がデータ記憶媒体１００の装填を自動的に検知して親展印刷を自動的に実行することを例示した。しかし、データ記憶媒体１００の検知や親展印刷の開始が、タッチパネルなどでデータ印刷装置３００に入力操作されてもよい。
【００７５】
また、本実施の形態ではコンピュータユニットが実装されているコンピュータプログラムに対応して動作することにより、データ処理装置２００およびデータ印刷装置３００の各種機能として各部２０１〜,３０２〜が論理的に実現されることを例示した。
【００７６】
しかし、このような各部２０１〜,３０２〜の各々を固有のハードウェアとして形成することもでき、一部をソフトウェアとしてメモリ等に格納するとともに一部をハードウェアとして形成することもできる。
【００７７】
当然ながら、上述のような各種の変形例は、その内容が相反しない範囲で各種の組み合わせを許容する。
【図面の簡単な説明】
【００７８】
【図１】本発明の実施例のデータ印刷システムの論理構造を示す模式図である。
【図２】上位処理装置であるデータ処理装置によるデータ処理方法を示すフローチャートである。
【図３】下位処理装置であるデータ印刷装置によるデータ処理方法を示すフローチャートである。
【符号の説明】
【００７９】
１０    データ印刷システム
１００    データ記憶媒体
２００    データ処理装置
２０１    要求送信部
２０２    取得部
２０３    データ格納部
３００    データ印刷装置
３０１    データ印刷部
３０２    ＩＤ返信部
３０３    ＩＤ記憶部
３０４    データ取得部
４００    通信ネットワーク
【図１】
2007323469.tif 000003
【図２】
2007323469.tif 000004
【図３】
2007323469.tif 000005